(57)【要約】【課題】水生生物の越境を有効に防ぐことができる越境防止フェンスを提供すること。【解決手段】本考案の越境防止フェンス１は、フロートａ１の両側に位置する２枚のシート体１０からなり、２枚のシート体１０は、フロートａ１の上部で互いに接続し、フロートａ１の下部でスカートａ２を挟持し、２枚のシート体１０の接続部が、フロートａ１の上方に、浮体フェンスＡの長手方向に連続する遮蔽壁１１を構成し、２枚のシート体１０の少なくとも一方の下端部がスカートａ２の下方へ垂下して、浮体フェンスＡの長手方向に連続する遮蔽カーテン１２を構成していることを特徴とする。【選択図】図１
0003209924.tif 000002
【実用新案登録請求の範囲】
【請求項１】
倒円柱形状のフロートと、前記フロートの下部に取り付けたスカートと、を備えた浮体フェンスに付設し、長手方向に接続した複数の前記浮体フェンスによって仕切られた一水域から他水域への水生生物の越境を防止するための越境防止フェンスであって、
前記フロートの両側に位置する２枚のシート体からなり、
前記２枚のシート体は、前記フロートの上部で互いに接続し、前記フロートの下部で前記スカートを挟持し、
前記２枚のシート体の接続部が、前記フロートの上方に、前記浮体フェンスの長手方向に連続する遮蔽壁を構成していることを特徴とする、
越境防止フェンス。
【請求項２】
前記２枚のシート体の少なくとも一方の下端部が前記スカートの下方へ垂下して、前記浮体フェンスの長手方向に連続する遮蔽カーテンを構成していることを特徴とする、請求項１に記載の越境防止フェンス。
【請求項３】
前記前記シート体の比重が１より大きいことを特徴とする、請求項２に記載の越境防止フェンス。
【請求項４】
前記シート体はコーティング材で被覆したネット材からなることを特徴とする、請求項１乃至３のいずれか一項に記載の越境防止フェンス。
【請求項５】
前記コーティング材はアクリル樹脂、塩化ビニル樹脂、ポリウレタン樹脂、またはＡＢＳ系樹脂のいずれかからなることを特徴とする、請求項４に記載の越境防止フェンス。
【請求項６】
前記ネット材はポリエステル繊維、ナイロン繊維、ビニロン繊維、またはアクリル繊維のいずれかからなることを特徴とする、請求項４または５に記載の越境防止フェンス。
【考案の詳細な説明】
【技術分野】
【０００１】
本考案は越境防止フェンスに関し、特に浮体フェンスで区切られた一水域から他水域への水生生物の越境を防止するための越境防止フェンスに関する。
【背景技術】
【０００２】
近年、従来日本に生息していなかった外来水生植物が湖沼などの水域において爆発的に繁茂し、周辺の自然環境や生態系に悪影響を及ぼしている。
これに対し、環境庁や各自治体は、ウインチ付きの建設機械や専用の水草刈取り船（ハーベスター）などを用いて外来水生植物の駆除を行っている（非特許文献１）。外来水生植物は繁殖力が非常に高く、駆除のスピードより早く繁殖するため、駆除と平行して生息水域への封じ込めを行う必要がある。
【０００３】
外来水生植物を封じ込める方法には、浮体フェンスによって外来水生植物の生息水域を囲い込む方法がある。浮体フェンスとは、柱状のフロートと、フロートの下部から垂下したスカートを備える浮体式のフェンスである。これを長手方向に連続して生息水域を包囲することで、外来水生植物の拡散を防止する。
【先行技術文献】
【非特許文献】
【０００４】
【非特許文献１】「琵琶湖の現状及び課題について（滋賀県琵琶湖環境部琵琶湖政策課：平成２７年１月２６日）」http://www.pref.shiga.lg.jp/shingikai/kankyo/files/genjo_kadai.pdf
【考案の概要】
【考案が解決しようとする課題】
【０００５】
しかし、問題となっている外来水生植物はいずれも繁殖力が旺盛であり、例えば琵琶湖で大量発生しているオオバナミズキンバイは、浮体フェンスの上部を乗り越えたり、水中から浮体フェンスの下部を潜り抜けてフェンスを越境してしまうことがある。従って、従来技術では外来水生植物を有効に封じ込めることができなかった。
【課題を解決するための手段】
【０００６】
上記のような課題を解決するための本考案の越境防止フェンスは、フロートの両側に位置する２枚のシート体からなり、２枚のシート体は、フロートの上部で互いに接続し、フロートの下部でスカートを挟持し、２枚のシート体の接続部が、フロートの上方に、浮体フェンスの長手方向に連続する遮蔽壁を構成していることを特徴とする。
【０００７】
本考案の越境防止フェンスは、２枚のシート体の少なくとも一方の下端部がスカートの下方へ垂下して、浮体フェンスの長手方向に連続する遮蔽カーテンを構成してもよい。  
【０００８】
本考案の越境防止フェンスは、シート体の比重が１より大きくてもよい。
【０００９】
本考案の越境防止フェンスは、シート体がコーティング材で被覆したネット材からなってもよい。  
【００１０】
本考案の越境防止フェンスは、コーティング材がアクリル樹脂、塩化ビニル樹脂、ポリウレタン樹脂、またはＡＢＳ系樹脂のいずれかからなってもよい。
【００１１】
本考案の越境防止フェンスは、ネット材がポリエステル繊維、ナイロン繊維、ビニロン繊維、またはアクリル繊維のいずれかからなってもよい。
【考案の効果】
【００１２】
本発明の越境防止フェンスは以上説明した構成を有するため、次の効果の少なくともひとつを備える。
＜１＞遮蔽壁と遮蔽カーテンで浮体フェンスの上下を連続して遮蔽することができるため、簡易な構造でありながら水生生物の越境を有効に防ぐことができる。
＜２＞浮体フェンスを紫外線や浮遊物から保護して耐用年数を延ばすことができる。
＜３＞構造が簡単であるため、製造コストが安く、組立が容易である。
＜４＞既設の浮体フェンスに付設することができるため、汎用性が高い。
【図面の簡単な説明】
【００１３】
【図１】本考案に係る越境防止フェンスの説明図。
【図２】本考案に係る越境防止フェンスの説明図。
【図３】本考案に係る越境防止フェンスの説明図。
【考案を実施するための形態】
【００１４】
以下、図面を参照しながら本考案の越境防止フェンスについて詳細に説明する。
説明にあたり「上下」「左右」などの各方位は、水上に浮かべた浮体フェンスに越境防止フェンスを装着した状態における各方位を示す。
【実施例１】
【００１５】
＜１＞全体の構成（図１）。
本考案の越境防止フェンス１は、浮体フェンスＡによって仕切られた一水域から他水域への、水生生物Ｂの越境を防止するためのフェンスである。
本例では、オオバナミズキンバイなどの外来水生植物を対象として説明するが、外来種に限られず、在来種の水生植物や昆虫、両生類などの小動物にも適用できる。
越境防止フェンス１は、浮体フェンスＡに付設して使用する。
ここで、浮体フェンスＡとは、倒円柱形状のフロートａ１と、フロートａ１の下部に取り付けたスカートａ２と、を備えた浮体である。浮体フェンスＡには、オイルフェンス、汚濁防止膜（商品名「シルトフェンス」）、網場（商品名「ネットフェンス」）などを含む。要はフロートａ１とスカートａ２を備えていればよい。
複数の浮体フェンスＡを長手方向に接続して水面に配置することで、水域を仕切ったり、囲い込むことができる。
越境防止フェンス１は、２枚のシート体１０で浮体フェンスＡを両側から挟み込んで構成する。
２枚のシート体１０はフロートａ１の上方で上辺同士を接続し、フロートａ１の下部でスカートａ２を両側から挟持する。互いに接続したシート体１０の上部は遮蔽壁１１を構成し、浮体フェンスＡの下方に垂下したシート体１０の下部は遮蔽カーテン１２を構成する。
越境防止フェンス１は、浮体フェンスＡの連続方向に沿って、遮蔽壁１１と遮蔽カーテン１２に切れ目が生じないように付設する。ただし、一枚物に限らず、複数の越境防止フェンス１の端部を連結して使用してもよい。
【００１６】
＜２＞シート体。
シート体１０は、越境防止フェンス１を構成するシート状の部材である。
シート体１０の上下方向の長さは、浮体フェンスＡに付設した状態において、浮体フェンスＡの上下に遮蔽壁１１と遮蔽カーテン１２を形成できる長さであればよい。なお、遮蔽カーテン１２は２枚のシート体１０のいずれか１枚によって形成すればよいため、両シート体１０の長さは異なっていてもよい。
シート体１０の幅、すなわち浮体フェンスＡの連続方向における長さには制限はない。
シート体１０は、湾曲してフロートａ１を挟持可能な程度の柔軟性と、フロートａ１の上方に遮蔽壁１１を自立可能な程度の剛性を備えた素材から構成する。この素材は、比重が１より大きいことが望ましい。
本例では、シート体１０として、ポリエステル繊維製のネット材をアクリル樹脂でコーティングしたネットシートを採用する。このネットシートはネット材の網目を通じて通気可能であるため、不安定な洋上でも風の影響で揺動しにくい。また、ネット材をアクリル樹脂でコーティングすることによって、剛性と高い耐候性を発揮することができる。
なお、ネット材はポリエステル繊維のほか、ナイロン繊維、ビニロン繊維、またはアクリル繊維などを採用してもよい。
また、コーティング剤はアクリル樹脂のほか、塩化ビニル樹脂、ポリウレタン樹脂、またはＡＢＳ系樹脂などを採用してもよい。
【００１７】
＜３＞遮蔽壁。
遮蔽壁１１は、外来水生植物が浮体フェンスＡの上部を乗り越えて越境することを防ぐための部分である。
遮蔽壁１１は、２枚のシート体１０の接合部をフロートａ１の上に被せることで、浮体フェンスＡの長手方向に沿って連続して形成される。
遮蔽壁１１の高さは用途によって異なるが、例えば本例ではフロートａ１の上部から上方へ２００ｍｍの高さに立設する。
【００１８】
＜４＞遮蔽カーテン。
遮蔽カーテン１２は、外来水生植物が水中から浮体フェンスＡの下部を潜り抜けて越境することを防ぐための部分である。
遮蔽カーテン１２は、２枚のシート体１０の少なくとも１枚の下端部をスカートａ２の下方まで延出することで、浮体フェンスＡの長手方向に沿って連続して形成される。
遮蔽カーテン１２の長さは用途によって異なるが、例えば本例ではフロートａ１の下部から下方へ１５００ｍｍの長さとする。  
シート体１０の比重を１より大きくすることによって、遮蔽カーテン１２を自重で水中に展開することができる。このため、シート体１０にウエイトなどを付設する必要がない。
【００１９】
＜５＞越境防止フェンスの組立方法。
本考案の越境防止フェンス１は、次の方法で組立てる。
まず、２枚のシート体１０ａ、１０ｂを広げた状態で、遮蔽カーテン１２を備える側のシート体１０ａを、浮体フェンスＡ側方の水中に下ろす。
続いて、２枚のシート体１０ａ、１０ｂの接続部をフロートａ１の上方に位置決めしつつ、遮蔽カーテン１２を備えない側のシート体１０ｂを、シート体１０ａと反対側の水中に下ろす（図２）。
最後に、フロートａ１の下部でスカートａ２を２枚のシート体１０ａ、１０ｂで挟み込み、シート体１０ａ、１０ｂとスカートａ２にボルトを連通した上でナットで締結して両者を固定する。同様の作業を浮体フェンスＡの連続方向に沿って所定の間隔ごとに行い、越境防止フェンス１を浮体フェンスＡに固定する。
また、越境防止フェンス１の水面における位置を固定するため、水底に貫入した単管パイプＣの先端に接続してもよい（図３）。
【００２０】
＜６＞越境防止フェンスの機能。
本考案の越境防止フェンス１は、水生生物Ｂの越境防止機能と、浮体フェンスＡの保護機能とを兼備する。
すなわち、遮蔽壁１１と遮蔽カーテン１２とで、浮体フェンスＡの上下を連続して遮蔽することができるため、簡易かつ有効に水生生物Ｂの越境を防止することができる（図３）。
また、２枚のシート体１０で浮体フェンスＡを包持する構造であるため、浮体フェンスＡへの紫外線の照射を遮蔽することができる。また、浮遊物の衝突などからフロートａ１を保護することで破損を防ぐことができる。これによって、浮体フェンスＡの耐用年数を延ばすことができる。
【符号の説明】
【００２１】
１    越境防止フェンス
１０  シート体
１１  遮蔽壁
１２  遮蔽カーテン
Ａ    浮体フェンス
ａ１  フロート
ａ２  スカート
Ｂ    水生生物
Ｃ    単管パイプ
【図１】
0003209924.tif 000003
【図２】
0003209924.tif 000004
【図３】
0003209924.tif 000005